(57)【特許請求の範囲】
【請求項１】
複数の通信手段を備えたファクシミリ装置において、
画情報送信時、同一宛先に、同一画情報を、上記複数の通信手段を用いて送信し、
画情報受信時、同一送信元から受信した複数の画情報を照合して、それらが一致したときに当該受信した画情報を正常であると判断して、受信画情報として扱うことを特徴とするファクシミリ装置。
【請求項２】
アナログ公衆回線網に接続し、グループ３ファクシミリ伝送手順を用いて画情報をやりとりするための第１の通信手段と、
インターネットに接続し、電子メールを用いて画情報をやりとりするための第２の通信手段と、
画情報を暗号化するとともに、暗号化された画情報を元の平文の画情報へ変換する暗号化復号化手段を備え、
画情報送信時、送信画情報を上記暗号化復号化手段により暗号化し、その暗号化送信画情報を上記第１の通信手段を用いて、指定された宛先へ送信するとともに、上記暗号化送信画情報を上記第２の通信手段を用いて、同一の宛先へ送信し、
画情報受信時、同一の送信元より上記第１の通信手段を用いて受信した第１の暗号化受信画情報と、上記第２の通信手段を用いて受信した第２の暗号化受信画情報をそれぞれ上記暗号化復号化手段により元の平文の第１の受信画情報および第２の受信画情報へ変換し、上記第１の受信画情報および第２の受信画情報を照合して、それらが一致したときに当該受信した画情報を正常であると判断して、受信画情報として扱うことを特徴とするファクシミリ装置。
【請求項３】
アナログ公衆回線網に接続し、グループ３ファクシミリ伝送手順を用いて画情報をやりとりするための第１の通信手段と、
インターネットに接続し、電子メールを用いて画情報をやりとりするための第２の通信手段と、
画情報を暗号化するとともに、暗号化された画情報を元の平文の画情報へ変換する暗号化復号化手段を備え、
画情報送信時、送信画情報を上記暗号化復号化手段により第１の暗号参照情報を用いて暗号化して第１の暗号化送信画情報を作成し、その第１の暗号化送信画情報を上記第１の通信手段を用いて、指定された宛先へ送信するとともに、上記送信画情報を上記暗号化復号化手段により第２の暗号参照情報を用いて暗号化して第２の暗号化送信画情報を作成し、その第２の暗号化送信画情報を上記暗号化送信画情報を上記第２の通信手段を用いて、同一の宛先へ送信し、
画情報受信時、送信元より上記第１の通信手段を用いて受信した第１の暗号化受信画情報について上記第１の暗号参照情報を適用し、上記暗号化復号化手段により復号化して第１の平文受信画情報を作成するとともに、同一の送信元より上記第２の通信手段を用いて受信した第２の暗号化受信画情報について上記第２の暗号参照情報を適用し、上記暗号化復号化手段により復号化して第２の平文受信画情報を作成し、上記第１の平文受信画情報および第２の平文受信画情報を照合して、それらが一致したときに当該受信した画情報を正常であると判断して、受信画情報として扱うことを特徴とするファクシミリ装置。
【請求項４】
アナログ公衆回線網に接続し、グループ３ファクシミリ伝送手順を用いて画情報をやりとりするための第１の通信手段と、
インターネットに接続し、電子メールを用いて画情報をやりとりするための第２の通信手段と、
画情報を暗号化するとともに、暗号化された画情報を元の平文の画情報へ変換する暗号化復号化手段を備え、
画情報送信時、送信画情報を上記暗号化復号化手段により第１の暗号参照情報を用いて暗号化して第１の暗号化送信画情報を作成するとともに、送信画情報を上記暗号化復号化手段により第２の暗号参照情報を用いて暗号化して第２の暗号化送信画情報を作成し、
上記第１の暗号化送信画情報と上記第２の暗号参照情報を連結して第１の送信情報を作成するとともに、上記第２の暗号化送信画情報と上記第１の暗号参照情報を連結して第２の送信情報を作成し、
上記第１の通信手段を用い、上記第１の送信情報を指定された宛先へ送信するとともに、上記第２の通信手段を用い、上記第２の送信情報を同一の宛先へ送信し、
画情報受信時、送信元より上記第１の通信手段を用いて上記第１の送信情報を受信するとともに、同一の送信元より上記第２の通信手段を用いて上記第２の送信情報を受信すると、
上記第１の送信情報を上記第１の暗号化受信画情報と第２の暗号参照情報に分割するとともに、上記第２の送信情報を第２の暗号化受信画情報と第１の暗号参照情報に分割し、
上記第１の暗号化受信画情報について上記第１の暗号参照情報を適用し、上記暗号化復号化手段により復号化して第１の平文受信画情報を作成するとともに、上記第２の暗号化受信画情報について上記第２の暗号参照情報を適用し、上記暗号化復号化手段により復号化して第２の平文受信画情報を作成し、
上記第１の平文受信画情報および第２の平文受信画情報を照合して、それらが一致したときに当該受信した画情報を正常であると判断して、受信画情報として扱うことを特徴とするファクシミリ装置。
【請求項５】
アナログ公衆回線網に接続し、グループ３ファクシミリ伝送手順を用いて画情報をやりとりするための第１の通信手段と、
インターネットに接続し、電子メールを用いて画情報をやりとりするための第２の通信手段と、
画情報を暗号化するとともに、暗号化された画情報を元の平文の画情報へ変換する暗号化復号化手段を備え、
画情報送信時、送信画情報を上記暗号化復号化手段により第１の暗号参照情報を用いて暗号化して第１の暗号化送信画情報を作成するとともに、送信画情報を上記暗号化復号化手段により第２の暗号参照情報を用いて暗号化して第２の暗号化送信画情報を作成し、
送信結果通知先をあらわす電子メールアドレスを、上記暗号化復号化手段により第３の暗号参照情報を用いて暗号化して第１の暗号化電子メールアドレス情報を作成するとともに、上記電子メールアドレスを上記暗号化復号化手段により第４の暗号参照情報を用いて暗号化して第２の暗号化電子メールアドレス情報を作成し、
上記第１の暗号化送信画情報と上記第２の暗号参照情報と上記第１の暗号化電子メールアドレス情報と上記第４の暗号参照情報を連結して第１の送信情報を作成するとともに、上記第２の暗号化送信画情報と上記第１の暗号参照情報と上記第２の暗号化電子メールアドレス情報と上記第３暗号参照情報を連結して第２の送信情報を作成し、
上記第１の通信手段を用い、上記第１の送信情報を指定された宛先へ送信するとともに、上記第２の通信手段を用い、上記第２の送信情報を同一の宛先へ送信し、
画情報受信時、送信元より上記第１の通信手段を用いて上記第１の送信情報を受信するとともに、同一の送信元より上記第２の通信手段を用いて上記第２の送信情報を受信すると、
上記第１の送信情報を上記第１の暗号化受信画情報と第２の暗号参照情報と上記第１の暗号化電子メールアドレス情報と上記第４の暗号参照情報に分割するとともに、上記第２の送信情報を第２の暗号化受信画情報と第１の暗号参照情報と上記第２の暗号化電子メールアドレス情報と上記第３暗号参照情報に分割し、
上記第１の暗号化受信画情報について上記第１の暗号参照情報を適用し、上記暗号化復号化手段により復号化して第１の平文受信画情報を作成するとともに、上記第２の暗号化受信画情報について上記第２の暗号参照情報を適用し、上記暗号化復号化手段により復号化して第２の平文受信画情報を作成し、
上記第１の平文受信画情報および第２の平文受信画情報を照合して、それらが一致したときに当該受信した画情報を正常であると判断して、受信画情報として扱うとともに、
上記第１の暗号化電子メールアドレス画情報について上記第３の暗号参照情報を適用し、上記暗号化復号化手段により復号化して第１の平文電子メールアドレス情報を作成するとともに、上記第２の暗号化電子メールアドレス画情報について上記第４の暗号参照情報を適用し、上記暗号化復号化手段により復号化して第２の平文電子メールアドレス情報を作成し、
上記第１の平文電子メールアドレス情報および第２の平文電子メールアドレス情報を照合して、それらが一致したときには、当該受信結果をあらわすレポートを作成し、上記平文電子メールアドレスへ、当該レポートを上記第２の通信手段を用いて送信することを特徴とするファクシミリ装置。
【請求項６】
暗号化通信を行うか否かを指定操作する操作手段をさらに備えたことを特徴とする請求項２または請求項３または請求項４または請求項５にかかるファクシミリ装置。
【発明の詳細な説明】
【０００１】
【発明の属する技術分野】
本発明は、通信の確実性を向上できるファクシミリ装置に関する。
【０００２】
【従来の技術】
グループ３ファクシミリ装置では、画情報送信時の通信エラーを抑制するために、受信側が受信エラーを発生した画情報を、ページ単位（非ＥＣＭモード時）、あるいは、フレーム単位（ＥＣＭモード時）に、再送するようにしている。
【０００３】
【発明が解決しようとする課題】
ところが、このような従来方法では、再送する際の回線状況によっては、通信エラーが回復できず、通信の確実性を確保できないと言う不具合を生じることがあった。
【０００４】
本発明は、かかる実情に鑑みてなされたものであり、通信の確実性を確保することのできるファクシミリ装置を提供することを目的としている。
【０００５】
【課題を解決するための手段】
本発明は、複数の通信手段を備えたファクシミリ装置において、画情報送信時、同一宛先に、同一画情報を、上記複数の通信手段を用いて送信し、画情報受信時、同一送信元から受信した複数の画情報を照合して、それらが一致したときに当該受信した画情報を正常であると判断して、受信画情報として扱うようにしたものである。
【０００６】
また、アナログ公衆回線網に接続し、グループ３ファクシミリ伝送手順を用いて画情報をやりとりするための第１の通信手段と、インターネットに接続し、電子メールを用いて画情報をやりとりするための第２の通信手段と、画情報を暗号化するとともに、暗号化された画情報を元の平文の画情報へ変換する暗号化復号化手段を備え、画情報送信時、送信画情報を上記暗号化復号化手段により暗号化し、その暗号化送信画情報を上記第１の通信手段を用いて、指定された宛先へ送信するとともに、上記暗号化送信画情報を上記第２の通信手段を用いて、同一の宛先へ送信し、画情報受信時、同一の送信元より上記第１の通信手段を用いて受信した第１の暗号化受信画情報と、上記第２の通信手段を用いて受信した第２の暗号化受信画情報をそれぞれ上記暗号化復号化手段により元の平文の第１の受信画情報および第２の受信画情報へ変換し、上記第１の受信画情報および第２の受信画情報を照合して、それらが一致したときに当該受信した画情報を正常であると判断して、受信画情報として扱うようにしたものである。
【０００７】
また、アナログ公衆回線網に接続し、グループ３ファクシミリ伝送手順を用いて画情報をやりとりするための第１の通信手段と、インターネットに接続し、電子メールを用いて画情報をやりとりするための第２の通信手段と、画情報を暗号化するとともに、暗号化された画情報を元の平文の画情報へ変換する暗号化復号化手段を備え、画情報送信時、送信画情報を上記暗号化復号化手段により第１の暗号参照情報を用いて暗号化して第１の暗号化送信画情報を作成し、その第１の暗号化送信画情報を上記第１の通信手段を用いて、指定された宛先へ送信するとともに、上記送信画情報を上記暗号化復号化手段により第２の暗号参照情報を用いて暗号化して第２の暗号化送信画情報を作成し、その第２の暗号化送信画情報を上記暗号化送信画情報を上記第２の通信手段を用いて、同一の宛先へ送信し、画情報受信時、送信元より上記第１の通信手段を用いて受信した第１の暗号化受信画情報について上記第１の暗号参照情報を適用し、上記暗号化復号化手段により復号化して第１の平文受信画情報を作成するとともに、同一の送信元より上記第２の通信手段を用いて受信した第２の暗号化受信画情報について上記第２の暗号参照情報を適用し、上記暗号化復号化手段により復号化して第２の平文受信画情報を作成し、上記第１の平文受信画情報および第２の平文受信画情報を照合して、それらが一致したときに当該受信した画情報を正常であると判断して、受信画情報として扱うようにしたものである。
【０００８】
また、アナログ公衆回線網に接続し、グループ３ファクシミリ伝送手順を用いて画情報をやりとりするための第１の通信手段と、インターネットに接続し、電子メールを用いて画情報をやりとりするための第２の通信手段と、画情報を暗号化するとともに、暗号化された画情報を元の平文の画情報へ変換する暗号化復号化手段を備え、画情報送信時、送信画情報を上記暗号化復号化手段により第１の暗号参照情報を用いて暗号化して第１の暗号化送信画情報を作成するとともに、送信画情報を上記暗号化復号化手段により第２の暗号参照情報を用いて暗号化して第２の暗号化送信画情報を作成し、上記第１の暗号化送信画情報と上記第２の暗号参照情報を連結して第１の送信情報を作成するとともに、上記第２の暗号化送信画情報と上記第１の暗号参照情報を連結して第２の送信情報を作成し、上記第１の通信手段を用い、上記第１の送信情報を指定された宛先へ送信するとともに、上記第２の通信手段を用い、上記第２の送信情報を同一の宛先へ送信し、画情報受信時、送信元より上記第１の通信手段を用いて上記第１の送信情報を受信するとともに、同一の送信元より上記第２の通信手段を用いて上記第２の送信情報を受信すると、上記第１の送信情報を上記第１の暗号化受信画情報と第２の暗号参照情報に分割するとともに、上記第２の送信情報を第２の暗号化受信画情報と第１の暗号参照情報に分割し、上記第１の暗号化受信画情報について上記第１の暗号参照情報を適用し、上記暗号化復号化手段により復号化して第１の平文受信画情報を作成するとともに、上記第２の暗号化受信画情報について上記第２の暗号参照情報を適用し、上記暗号化復号化手段により復号化して第２の平文受信画情報を作成し、上記第１の平文受信画情報および第２の平文受信画情報を照合して、それらが一致したときに当該受信した画情報を正常であると判断して、受信画情報として扱うようにしたものである。
【０００９】
また、アナログ公衆回線網に接続し、グループ３ファクシミリ伝送手順を用いて画情報をやりとりするための第１の通信手段と、インターネットに接続し、電子メールを用いて画情報をやりとりするための第２の通信手段と、画情報を暗号化するとともに、暗号化された画情報を元の平文の画情報へ変換する暗号化復号化手段を備え、画情報送信時、送信画情報を上記暗号化復号化手段により第１の暗号参照情報を用いて暗号化して第１の暗号化送信画情報を作成するとともに、送信画情報を上記暗号化復号化手段により第２の暗号参照情報を用いて暗号化して第２の暗号化送信画情報を作成し、送信結果通知先をあらわす電子メールアドレスを、上記暗号化復号化手段により第３の暗号参照情報を用いて暗号化して第１の暗号化電子メールアドレス情報を作成するとともに、上記電子メールアドレスを上記暗号化復号化手段により第４の暗号参照情報を用いて暗号化して第２の暗号化電子メールアドレス情報を作成し、上記第１の暗号化送信画情報と上記第２の暗号参照情報と上記第１の暗号化電子メールアドレス情報と上記第４の暗号参照情報を連結して第１の送信情報を作成するとともに、上記第２の暗号化送信画情報と上記第１の暗号参照情報と上記第２の暗号化電子メールアドレス情報と上記第３暗号参照情報を連結して第２の送信情報を作成し、上記第１の通信手段を用い、上記第１の送信情報を指定された宛先へ送信するとともに、上記第２の通信手段を用い、上記第２の送信情報を同一の宛先へ送信し、画情報受信時、送信元より上記第１の通信手段を用いて上記第１の送信情報を受信するとともに、同一の送信元より上記第２の通信手段を用いて上記第２の送信情報を受信すると、上記第１の送信情報を上記第１の暗号化受信画情報と第２の暗号参照情報と上記第１の暗号化電子メールアドレス情報と上記第４の暗号参照情報に分割するとともに、上記第２の送信情報を第２の暗号化受信画情報と第１の暗号参照情報と上記第２の暗号化電子メールアドレス情報と上記第３暗号参照情報に分割し、上記第１の暗号化受信画情報について上記第１の暗号参照情報を適用し、上記暗号化復号化手段により復号化して第１の平文受信画情報を作成するとともに、上記第２の暗号化受信画情報について上記第２の暗号参照情報を適用し、上記暗号化復号化手段により復号化して第２の平文受信画情報を作成し、上記第１の平文受信画情報および第２の平文受信画情報を照合して、それらが一致したときに当該受信した画情報を正常であると判断して、受信画情報として扱うとともに、上記第１の暗号化電子メールアドレス画情報について上記第３の暗号参照情報を適用し、上記暗号化復号化手段により復号化して第１の平文電子メールアドレス情報を作成するとともに、上記第２の暗号化電子メールアドレス画情報について上記第４の暗号参照情報を適用し、上記暗号化復号化手段により復号化して第２の平文電子メールアドレス情報を作成し、上記第１の平文電子メールアドレス情報および第２の平文電子メールアドレス情報を照合して、それらが一致したときには、当該受信結果をあらわすレポートを作成し、上記平文電子メールアドレスへ、当該レポートを上記第２の通信手段を用いて送信するようにしたものである。
【００１０】
また、暗号化通信を行うか否かを指定操作する操作手段をさらに備えたものである。
【００１１】
【発明の実施の形態】
以下、添付図面を参照しながら、本発明の実施の形態を詳細に説明する。
【００１２】
図１は、本発明の一実施例にかかるネットワークシステムを示している。
【００１３】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１４】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１５】
また、ローカルエリアネットワークＬＡＮは、ルータ装置ＲＴを介して、インターネットへと接続され、それにより、ワークステーション装置ＷＳ１〜ＷＳｎ、メールサーバ装置ＳＭ、および、ネットワークファクシミリ装置ＦＸは、他のローカルエリアネットワーク等に接続されているホスト装置等との間で種々のデータのやりとりが可能である。
【００１６】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１７】
また、ネットワークファクシミリ装置ＦＸは、画情報や各種レポートなどを電子メールとしてやりとりするための電子メール処理機能、および、アナログ公衆回線網ＰＳＴＮに接続し、このアナログ公衆回線網ＰＳＴＮを伝送路として用いてグループ３ファクシミリ伝送手順による画情報伝送を行う伝送機能を備えている。
【００１８】
図２は、ネットワークファクシミリ装置ＦＸの構成例を示している。
【００１９】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２０】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２１】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２２】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２３】
網制御装置１１は、このネットワークファクシミリ装置ＦＸをアナログ公衆回線網ＰＳＴＮに接続するためのものであり、自動発着信機能を備えている。
【００２４】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２５】
暗号化復号化処理部１４は、指定された暗号キーを用いて、データを暗号化データへ変換するとともに、暗号化データを元の平文のデータへ逆変換するものである。また、暗号化方式としては、暗号キーのような暗号化／復号化参照情報を用いる任意の暗号化方式を適用することができる。
【００２６】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、ローカルエリアネットワーク伝送制御部１３、および、暗号化復号化処理部１４は、内部バス１５に接続されており、これらの各要素間でのデータのやりとりは、主としてこの内部バス１５を介して行われている。
【００２７】
また、網制御装置１１とグループ３ファクシミリモデム１０との間のデータのやりとりは、直接行なわれている。
【００２８】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２９】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３０】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ
Ｍａｉｌ  Ｅｘｔｅｎｓｉｏｎ）形式）などでそれぞれ規定されている。
【００３１】
そして、ネットワークファクシミリ装置ＦＸは、読み取った原稿画像を公衆網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置ＦＸへ送信するとともに、公衆網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーションＷＳより（電子メールで）受信した画情報を、指定された公衆網ＰＳＴＮのグループ３ファクシミリ装置へ転送する転送サービス機能等を備えている。
【００３２】
また、自端末宛に受信した電子メールについては、本文情報に配置される画情報を取り出して、記録出力するようにしている。
【００３３】
ここに、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００３４】
さて、本実施例では、画情報を送信する際、同一画情報をアナログ公衆回線網ＰＳＴＮを介してグループ３ファクシミリ伝送手順で送信するとともに、電子メールを用いて送信し、受信側では、アナログ公衆回線網ＰＳＴＮを介して受信した画情報と電子メールで受信した画情報を照合し、一致したときのみ適切な受信画情報として取り扱うようにしている。
【００３５】
また、送信側は、通信結果を電子メールで通知して貰うため、通信結果通知用の電子メールアドレスを受信側へ通知し、受信側では、受信結果を通知する通信結果レポートを作成して、通信結果通知用として指定された電子メールアドレスへ送信するようにしている。
【００３６】
そして、画情報と電子メールアドレスは、それぞれ異なる暗号キーを用いて暗号化し、暗号化されたデータと、それを解読するための暗号キーを、それぞれ他方の通信情報に含ませるようにしている。
【００３７】
すなわち、本実施例の場合、グループ３ファクシミリ伝送手順を適用して送信するファクシミリ送信データは、図３（ａ）に示すような信号形式を持ち、また、電子メールを適用して送信する電子メール送信データは、同図（ｂ）に示すような信号形式を持つ。
【００３８】
ここで、ファクシミリ送信データは、送信する画情報をデータ暗号キー１Ｋａを適用して、暗号化復号化部１４で暗号化して形成した暗号化データ▲１▼ＤＡと、暗号化データ▲２▼ＤＢ（後述）を暗号化する際に適用したデータ暗号キー２Ｋｂと、通信結果通知用の電子メールアドレスをアドレス暗号キー▲１▼ＫＡａを適用して、暗号化復号化処理部１４で暗号化して形成した暗号化アドレス▲１▼ＡＤａと、暗号化アドレス▲２▼ＡＤｂ（後述）を暗号化する際に適用したアドレス暗号キー▲２▼ＫＡｂを、この順序で連結した構成を持つ。
【００３９】
また、電子メール送信データは、送信する画情報をデータ暗号キー▲２▼Ｋｂを適用して、暗号化復号化部１４で暗号化して形成した暗号化データ▲２▼ＤＢと、暗号化データ▲１▼ＤＡを暗号化する際に適用したデータ暗号キー▲１▼Ｋａと、通信結果通知用の電子メールアドレスをアドレス暗号キー▲２▼ＫＡｂを適用して、暗号化復号化処理部１４で暗号化して形成した暗号化アドレス▲２▼ＡＤｂと、暗号化アドレス▲１▼ＡＤａを暗号化する際に適用したアドレス暗号キー▲１▼ＫＡａを、この順序で連結した構成を持つ。
【００４０】
このようにして、本実施例では、同一の画情報を、グループ３ファクシミリ伝送手順および電子メールを用いて送信し、受信側で両方の画情報の照合の結果、一致した場合に、適切な受信画情報として取り扱うようにしているので、画情報の通信の確実性を確保することができる。
【００４１】
また、それぞれ送信する画情報は暗号化しているので、他人が盗聴して送信画情報を傍受されたとしても、当該傍受された画情報を元の画情報に変換することが困難であり、通信の秘匿性も確保することができる。
【００４２】
また、暗号化された画情報を元の画情報へ変換する際の処理で必要な暗号キーは、一系統の通信を傍受して取得された通信情報（送信情報）には含まれないので、当該通信情報を傍受したとしても、元の画情報に変換することは、ほとんど不可能となり、非常に高い秘匿性を確保することができる。
【００４３】
ところで、このネットワークファクシミリ装置ＦＸのユーザにとっては、必要に応じて、上述した暗号化通信を行えるようにすることが好ましい。そのためには、例えば、図４に示すように、通信に使用する回線を選択する選択手段を操作表示部７に設け、一般回線（アナログ公衆回線網ＰＳＴＮ）を単独で使用するか、インターネット回線を単独で使用するか、あるいは、一般回線とインターネット回線をともに使用するかを選択できるようにしておき、一般回線とインターネット回線をともに使用する旨が選択された場合に限り、上述した暗号化通信を行うようにする。
【００４４】
また、この選択操作はボタンＢＴ１を押すことにより行われ、選択対象となっている項目は、表示近傍に配置されているランプＬＰ１，ＬＰ２，ＬＰ３が点灯することにより表示される。例えば、初期状態では「一般回線」が選択状態となっていて、ランプＬＰ１が点灯する。
【００４５】
そして、その状態から、ボタンＢＴ１を１回押すと、「インターネット回線」が選択状態となり、ランプＬＰ２が点灯する。さらに、その状態から、ボタンＢＴ１を１回押すと、「一般回線＋インターネット回線」が選択状態となり、ランプＬＰ３が点灯する。さらに、その状態から、ボタンＢＴ１を１回押すと、「一般回線線」が選択状態となり、ランプＬＰ１が点灯する。
【００４６】
あるいは、図５に示すように、暗号化通信を選択するモードを設けるようにしても良い。
【００４７】
図６は、このネットワークファクシミリ装置ＦＸが、暗号化通信モードの画情報送信時に行う処理の一例を示している。
【００４８】
まず、ユーザが送信原稿をスキャナ５にセットし、宛先を入力する（処理１０１）。宛先の入力方法は、例えば、同一宛先について、電話番号と電子メールアドレスが登録されているワンタッチダイアル番号を操作する等で行われる。
【００４９】
宛先入力が終了すると、スキャナ５にセットされている送信原稿画像を読み取り（処理１０２）、読み取って得た画情報を、所定の符号化方式を適用し、符号化復号化手段８で符号化圧縮し、それによって得た画情報を画像蓄積装置９に蓄積する（処理１０３）。
【００５０】
次に、画像蓄積装置９に蓄積した画情報について、所定のデータ暗号キー▲１▼Ｋａを適用して、暗号化復号化部１４で暗号化して暗号化データ▲１▼ＤＡを作成し、その作成した暗号化データ▲１▼ＤＡを画像蓄積装置９に保存する（処理１０４）。
【００５１】
また、自端末に設定されている電子メールアドレスについて、所定のアドレス暗号キー▲１▼ＫＡａを適用して、暗号化復号化部１４で暗号化して暗号化アドレス▲１▼ＡＤａを作成し、その作成した暗号化アドレス▲１▼ＡＤａを画像蓄積装置９に保存する（処理１０５）。
【００５２】
次に、画像蓄積装置９に蓄積した画情報について、所定のデータ暗号キー▲２▼Ｋｂを適用して、暗号化復号化部１４で暗号化して暗号化データ▲２▼ＤＢを作成し、その作成した暗号化データ▲２▼ＤＢを画像蓄積装置９に保存する（処理１０６）。
【００５３】
また、自端末に設定されている電子メールアドレスについて、所定のアドレス暗号キー▲２▼ＫＡｂを適用して、暗号化復号化部１４で暗号化して暗号化アドレス▲２▼ＡＤｂを作成し、その作成した暗号化アドレス▲２▼ＡＤｂを画像蓄積装置９に保存する（処理１０７）。
【００５４】
そして、暗号化データ▲１▼ＤＡ、データ暗号キー▲２▼Ｋｂ、暗号化アドレス▲１▼ＡＤａ、および、アドレス暗号キー▲２▼ＫＡｂをこの順序に連結して、ファクシミリ送信データを作成し（処理１０８）、所定のグループ３ファクシミリ送信処理を適用し、指定された宛先へ発呼して、処理１０８で作成したファクシミリ送信データを送信する（処理１０９）。
【００５５】
次に、暗号化データ▲２▼ＤＢ、データ暗号キー▲１▼Ｋａ、暗号化アドレス▲２▼ＡＤｂ、および、アドレス暗号キー▲１▼ＫＡａをこの順序に連結して、電子メール送信データを作成し（処理１１０）、指定された宛先の電子メールアドレスへその電子メール送信データを運ぶ電子メールを作成して送信する（処理１１１）。
【００５６】
図７は、このネットワークファクシミリ装置ＦＸが暗号化通信にかかる受信処理の一例を示している。
【００５７】
まず、アナログ公衆回線網ＰＳＴＮで着信検出するか、あるいは、電子メールの取得タイミングになったを監視している（判断２０１，２０２のＮＯループ）。
【００５８】
着信検出して判断２０１の結果がＹＥＳになるときには、着信応答し、所定のグループ３ファクシミリ受信処理を実行して、画情報を受信して、その受信した画情報を画像蓄積装置９へ蓄積する（処理２０３）。
【００５９】
ここで、受信したファクシミリ通信データに対応した電子メール通信データを運ぶ電子メールを受信しているかどうかを調べ（判断２０４）、判断２０４の結果がＮＯになるときには、判断２０１へ戻る。
【００６０】
また、判断２０１の結果がＹＥＳになるときには、ファクシミリ受信データの暗号化データ▲１▼ＤＡについて、電子メール受信データのデータ暗号キー▲１▼Ｋａを適用し、暗号化復号化処理部１４で暗号解読処理を行って、元の画情報▲１▼を取得し（処理２０５）、次いで、ファクシミリ受信データの暗号化アドレス▲１▼ＡＤａについて、電子メール受信データのアドレス暗号キー▲１▼ＫＡａを適用し、暗号化復号化処理部１４で暗号解読処理を行って、返信用の電子メールアドレス▲１▼を取得する（処理２０６）。
【００６１】
次に、電子メール受信データの暗号化データ▲２▼ＤＢについて、ファクシミリ受信データのデータ暗号キー▲２▼Ｋｂを適用し、暗号化復号化処理部１４で暗号解読処理を行って、元の画情報▲２▼を取得し（処理２０７）、次いで、電子メール受信データの暗号化アドレス▲２▼ＡＤｂについて、ファクシミリ受信データのアドレス暗号キー▲２▼ＫＡｂを適用し、暗号化復号化処理部１４で暗号解読処理を行って、返信用の電子メールアドレス▲２▼を取得する（処理２０８）。
【００６２】
次いで、処理２０５で作成した画情報▲１▼と、処理２０７で作成した画情報▲２▼を照合し（処理２０９）、両者が一致しているかどうかを調べる（判断２１０）。判断２１０の結果がＹＥＳになるときには、処理２０６で作成した電子メールアドレス▲１▼と、処理２０９で作成した電子メールアドレス▲２▼を照合し（処理２１１）、両者一致しているかどうかを調べる（判断２１２）。
【００６３】
判断２１２の結果がＹＥＳになるときには、通信結果を通知するレポートを作成し、処理２０６，２０８で取得した電子メールアドレスを宛先にセットし、作成したレポートを運ぶ電子メールを送信する（処理２１３）。
【００６４】
また、判断２１０の結果がＮＯになるとき、あるいは、判断２１２の結果がＮＯになるときには、その時点で、この処理を終了する。
【００６５】
また、電子メールの取得タイミング（例えば、３０分間隔で到来する）になったので、判断２０２の結果がＹＥＳになると、自端末宛の電子メールを取得し（処理２１５）、その取得した電子メールが通信結果通知ではなく、かつ、自端末に、電子メール受信データに対応したファクシミリ受信データが蓄積されているかどうかを調べる（判断２１６）。
【００６６】
判断２１６の結果がＹＥＳになるときには、処理２０５へ進み、それ以降の処理を実行する。
【００６７】
また、判断２１６の結果がＮＯになるときには、その取得した電子メールが通信結果通知であったかどうかを調べ（判断２１７）、判断２１７の結果がＹＥＳになるときには、その電子メールで運ばれた通信結果を通知するレポートを、通信履歴（図示略）に保存して（処理２１８）、この処理を終了する。
【００６８】
また、判断２１７の結果がＮＯになるときには、判断２０１へ戻る。
【００６９】
【発明の効果】
以上説明したように、本発明によれば、同一の画情報を、グループ３ファクシミリ伝送手順および電子メール等の複数の通信手段を用いて送信し、受信側で両方の画情報の照合の結果、一致した場合に、適切な受信画情報として取り扱うようにしているので、画情報の通信の確実性を確保することができるという効果を得る。
【００７０】
また、それぞれ送信する画情報は暗号化しているので、他人が盗聴して送信画情報を傍受されたとしても、当該傍受された画情報を元の画情報に変換することが困難であり、通信の秘匿性も確保することができるという効果も得る。
【００７１】
また、暗号化された画情報を元の画情報へ変換する際の処理で必要な暗号キーは、一系統の通信を傍受して取得された通信情報（送信情報）には含まれないので、当該通信情報を傍受したとしても、元の画情報に変換することは、ほとんど不可能となり、非常に高い秘匿性を確保することができるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】ファクシミリ送信データと電子メール送信データの一例を示した概略図。
【図４】通信に使用する回線を選択する選択手段の一例を示した概略図。
【図５】通信に使用する暗号化モードを選択する選択手段の一例を示した概略図。
【図６】このネットワークファクシミリ装置ＦＸが、暗号化通信モードの画情報送信時に行う処理の一例を示したフローチャート。
【図７】このネットワークファクシミリ装置ＦＸが暗号化通信にかかる受信処理の一例を示したフローチャート。
【符号の説明】
１  システム制御部
２  システムメモリ
３  パラメータメモリ
７  操作表示部
８  符号化復号化部
９  画像蓄積装置
１０  グループ３ファクシミリモデム
１１  網制御装置
１２  ローカルエリアネットワークインタフェース回路
１３  ローカルエリアネットワーク伝送制御部
１４  暗号化復号化処理部
【図１】
0003779598.tif 000002
【図２】
0003779598.tif 000003
【図３】
0003779598.tif 000004
【図４】
0003779598.tif 000005
【図５】
0003779598.tif 000006
【図６】
0003779598.tif 000007
【図７】
0003779598.tif 000008